(57)【要約】【課題】天気情報に対応して付与する販促特典を客面表示器に表示することが可能となる。【解決手段】リーダ・ライタ４３により顧客カード１００の顧客コードが入力されると、当該顧客コードにより顧客データベース１８から顧客データが取得され、当該顧客が会員であると確認されると、販促特典データベース１９にアクセスする。販促特典データベース１９に販促特典が設定されていると、当該販促特典を客面表示器４１に表示させる。【選択図】図６
2015084187.tif 000002
【特許請求の範囲】
【請求項１】
１取引で販売された商品の販売データを処理する商品販売データ処理装置において、
顧客コードを入力する顧客コード入力手段と、
顧客に情報を表示する客面表示器と、
天気情報に対応して販促特典およびフラグを設定した販促特典設定手段と、
前記顧客コードに対応して顧客データを記憶する顧客データ記憶手段と、
前記顧客コード入力手段を介して当該顧客コードが入力されると、当該顧客コードに対応して記憶管理されている前記顧客データ記憶手段より当該顧客データを取得する顧客データ取得手段と、
この顧客データ取得手段により顧客コードで特定された顧客に対して前記販促特典設定手段から販促特典を取得する販促特典取得手段と、
この販促特典取得手段により取得した当該販促特典を前記客面表示器に表示する販促特典表示手段と、
前記販促特典手段により取得した当該販促特典を当該顧客へ付与する販促特典付与手段と、
を備えたことを特徴とする商品販売データ処理装置。
【請求項２】
１取引で販売された商品の販売データを処理するとともに、当該取引内容をレシートに印字するレシート印字データを作成するレシート印字データ作成手段と、このレシート印字データ作成手段により作成されたレシート印字データに基づいてレシートに印字し発行するレシート印字発行手段とを備えた商品販売データ処理装置において、
顧客コードを入力する顧客コード入力手段と、
顧客に情報を表示する客面表示器と、
天気情報に対応して販促特典およびフラグ情報を設定した販促特典設定手段と、
前記顧客コードに対応して顧客データを記憶する顧客データ記憶手段と、
前記顧客コード入力手段を介して当該顧客コードが入力されると、当該顧客コードに対応して記憶管理されている前記顧客データ記憶手段より当該顧客データを取得する顧客データ取得手段と、
この顧客データ取得手段により顧客コードで特定された顧客に対して前記販促特典設定手段から販促特典を取得する販促特典取得手段と、
この販促特典取得手段により取得した当該販促特典を前記客面表示器に表示する販促特典表示手段と、
前記販促特典手段により取得した当該販促特典を当該顧客へ付与する販促特典付与手段と、
この販促特典付与手段により付与された当該販促特典が追加されたレシート印字データに基づいて前記レシート印字発行手段によりレシートを印字発行することを特徴とする商品販売データ処理装置。
【請求項３】
前記天気情報は、現在の天気が降雨であることを特徴とする請求項１または２記載の商品販売データ処理装置。
【発明の詳細な説明】
【技術分野】
【０００１】
本発明の実施形態は、商品販売データ処理装置に関する。
【背景技術】
【０００２】
近年、スーパーマーケット等における集客手段としてサービスポイントシステムが普及している。このシステムは、ポイント会員になった顧客が店舗で買物する毎に商品の支払金額に応じたポイントを算出し、このポイントを顧客毎に累計する。そして、ポイントが溜まると、それに引き換えに値引き等の特典を付与するものである。
【０００３】
また、サービスポイントを季節、曜日、時間、天気、気温などの随時変動するリアルタイム情報をさらに掛け合わせて算出するシステムがある。
【先行技術文献】
【特許文献】
【０００４】
【特許文献１】特開２００９−１６９８３４公報
【発明の概要】
【発明が解決しようとする課題】
【０００５】
しかしながら、特定の天気情報に基づいてサービスポイント等の販促特典を付与することが行われていない。
【０００６】
本発明が解決しようとする課題は、特定の天気情報に基づいて販促特典を付与することが可能とする商品販売データ処理装置を提供しようとするものである。
【課題を解決するための手段】
【０００７】
一実施形態における商品販売データ処理装置は、顧客コードを入力する顧客コード入力手段と、顧客に情報を表示する客面表示器と、天気情報に対応して販促特典およびフラグを設定した販促特典設定手段と、前記顧客コードに対応して顧客データを記憶する顧客データ記憶手段と、前記顧客コード入力手段を介して当該顧客コードが入力されると、当該顧客コードに対応して記憶管理されている前記顧客データ記憶手段より当該顧客データを取得する顧客データ取得手段と、この顧客データ取得手段により顧客コードで特定された顧客に対して前記販促特典設定手段から販促特典を取得する販促特典取得手段この販促特典取得手段により取得した当該販促特典を前記客面表示器に表示する販促特典表示手段と、
前記販促特典手段により取得した当該販促特典を当該顧客へ付与する販促特典付与手段と、を備えたことを特徴とする。
【図面の簡単な説明】
【０００８】
【図１】一実施形態におけるＰＯＳシステムの主要構成を示すブロック図。
【図２】同実施形態における顧客データベースのデータ構造の一例を示す模式図。
【図３】同実施形態における販促特典データベースのデータ構造の一例を示す模式図。
【図４】同実施形態におけるＰＯＳ端末のハードウェア構成を示すブロック図。
【図５】同実施形態におけるＰＯＳ端末のＲＡＭに形成する主要なメモリエリアを示す図。
【図６】同実施形態におけるＰＯＳ端末のＣＰＵが実行する商品販売処理の主要なステップを示すフローチャート。
【図７】同実施形態におけるＰＯＳ端末から印字発行されるレシートの一例を示す図。
【発明を実施するための形態】
【０００９】
以下、実施形態の一例について図面を用いて説明する。
【００１０】
なお、本実施形態は、店舗において商品販売処理に用いられる商品販売データ処理装置および商品販売処理システムとしてＰＯＳ（Point Of Sales）端末およびＰＯＳシステムに対して適用した場合である。
【００１１】
図１は、本実施形態のＰＯＳシステム１１の要部構成を示すブロック図である。
【００１２】
図1に示すように、ＰＯＳシステム１１は、複数台のＰＯＳ端末１２と１台のストアサーバ１３とをＬＡＮ（Local Area Network）等の通信回線１４を介して相互通信可能に接続して構成している。
【００１３】
また、通信回線１４には、インタフェース（Ｉ／Ｆ）１５を介して天気観測機器１６が接続されている。この天気観測機器１６は、少なくとも降雨量を観測する降雨観測機器１６a、降雪量を観測する降雪観測機器１６ｂ等から構成され、各機器がそれぞれインタフェース（Ｉ／Ｆ）１５を介して通信回線１４を経由しストアサーバ１３に接続されている。
【００１４】
降雨観測機器１６aは、雨量量を測定し、一定時間ごとに測定された降雨量を天気情報として出力するようになっている。また、予め降雨量の閾値を設定することができ、測定した降雨量が閾値より小さい状態から閾値以上に変化した場合、および閾値以上の状態から閾値より小さい状態に変化した場合に、降雨開始、降雨終了を示すデータ、または測定された降雨量を天気変化情報として出力するようになっている。
【００１５】
同様に、降雪観測機器１６ｂは、降雪量を測定し、一定時間ごとに測定された降雪量を天気情報として出力するようになっている。また、予め降雪量の閾値を設定することができ、測定した降雪量が閾値より小さい状態から閾値以上に変化した場合、および閾値以上の状態から閾値より小さい状態に変化した場合に、降雪開始、降雪終了を示すデータ、または測定された降雪量を天気変化情報として出力するようになっている。
【００１６】
各機器１６a、１６ｂから出力された天気情報または天気変化情報は、インタフェース（Ｉ／Ｆ）１５を介して通信回線１４を経由しストアサーバ１３に供給されるようになっている。
【００１７】
前記各ＰＯＳ端末１２には、ポイント会員として契約した顧客に対して発行された顧客カード１００に記録されている顧客データであるカードデータを読み取る機能を有するリーダ・ライタ（図４参照）４３がそれぞれ備えている。
【００１８】
顧客カード１００には、少なくともポイント会員を特定するための顧客識別データである顧客コードを記録している。
【００１９】
ストアサーバ１３には、ハードディスクドライブなどの記憶部に、少なくとも、商品データベース１７、顧客データベース１８および販促特典データベース１９が形成されている。
【００２０】
前記商品データベース１７は、図示しないが、店舗で販売される各商品に関するデータを商品データレコードとして蓄積する。各商品の商品コードに対応して商品名、単価等の商品データがプリセットされている。
【００２１】
図２は、顧客データベース１８に蓄積された顧客データレコードのデータ構造の一例を示す模式図である。
【００２２】
図２に示すように、顧客データベース１８には、ポイント会員である顧客カード１００を所有する各顧客に関するデータを顧客別の顧客データレコードとして蓄積する。たとえば、顧客識別データである固有の顧客コードに対応して顧客氏名、累計ポイント等を記憶管理するようになっている。ここで、顧客データベース１８は顧客データ記憶手段として構成する。
【００２３】
図３は、販促特典データベース１９に蓄積された販促特典データレコードのデータ構造の一例を示す模式図である。
【００２４】
図３に示すように、販促特典データベース１９には、店舗の周辺の天気別レコードとして天気コードに対応して天気情報、販促特典、フラグ等を設定されている。
【００２５】
たとえば、天気コード１００は、天気情報は、降雨で販促特典は、１０ポイントに設定されている。天気コード１０１は、天気情報は、降雪で、販促特典は１５ポイントに設定されている。なお、販促特典は、ポイント付与に限らず、他の特典でもよい。
【００２６】
フラグは、たとえば、天気観測機器１６から出力された天気情報に基づいて、フラグが“１”にセットされる場合には、天気情報が有効であり、フラグが“０”にリセットされている場合には、天気情報は無効である。ここで、販促特典データベース１９は、販促特典設定手段として構成する。
【００２７】
また、天気観測機器１６の降雨観測機器１６aおよび降雪観測機器１６ｂの観測により天気情報を設定しているが、他の方法で設定してもよい。
【００２８】
次に、各ＰＯＳ端末１２のハードウェア構成について説明する。
【００２９】
図４、各ＰＯＳ端末１２のハードウェア要部構成を示すブロック図である。各ＰＯＳ端末１２は同一構成である。
【００３０】
図４に示すように各ＰＯＳ端末１２は、制御部本体としてＣＰＵ（Central Processing Unit）２１を備えている。
【００３１】
このＣＰＵ２１には、ＲＯＭ（Read Only Memory）２２、ＲＡＭ（Random Access Memory）２３、補助記憶部２４、時計部２５、通信インタフェース２６、Ｉ／Ｏポート（Input／Output）２７、キーボードコントローラ２８、スキャナコントローラ２９、表示コントローラ３０、３１、プリンタコントローラ３２およびリーダ・ライタコントローラ３３などの各部を、アドレスバス、データバス、制御バスなどのバスライン３４を介してそれぞれ接続している。
【００３２】
そして、Ｉ／Ｏポート２７には、モードスイッチ（モードＳＷ）３６、ドロワ開放部３７を接続し、キーボードコントローラ２８にキーボード３８を接続し、スキャナコントローラ２９にスキャナ３９を接続し、表示コントローラ３０に前面表示器４０を接続し、表示コントローラ３１に客面表示器４１を接続し、プリンタコントローラ３２にプリンタ４２を接続し、リーダ・ライタコントローラ３３にリーダ・ライタ４３を接続している。
【００３３】
ＣＰＵ２１は、ＲＯＭ２２およびＲＡＭ２３に記憶されたＯＳ（Operating System）、ミドルウェアおよびアプリケーションプログラムに基づいて、ＰＯＳ端末１２としての各種の動作を実現する各部を制御する。
【００３４】
ＲＯＭ２２は、前記オペレーティングシステムを記憶する。またＲＯＭ２２は、前記ミドルウェアやアプリケーションプログラムを記憶する場合もある。
【００３５】
ＲＡＭ２３は、ＣＰＵ２１が各種の処理を行う上で参照するデータを記憶する。
【００３６】
また、ＲＡＭ２３は、ＣＰＵ２１が各種の処理を行う上で一時的に使用するデータを記憶しておく、いわゆるワークエリアとして利用される。
【００３７】
図５は、ＲＡＭ２３に形成された主要なメモリエリアを示す模式図である。
【００３８】
図５に示すようにＲＡＭ２３には、登録商品データメモリ２３１、取引決済データメモリ２３２、顧客データ登録メモリ２３３、販促特典データメモリ２３４、レシート印字データメモリ２３５が形成されている。
【００３９】
登録商品データメモリ２３１には、１商品販売取引として販売登録された全商品の明細データとして商品コード、商品名、単価、販売点数及び販売金額等からなる登録商品データレコードを一時的に記憶する。
【００４０】
取引決済データメモリ２３２には、１商品販売取引として販売登録された全商品の決済明細データとして小計金額、税額、合計金額、預かり金額、釣銭額等からなる取引決済データレコードを一時的に記憶する。
【００４１】
顧客データ登録メモリ２３３には、顧客コードに対応して顧客氏名、前日までの累計ポイント、今回ポイント、販促特典ポイントおよび累計ポイント等からなる顧客データ登録レコードを一時的に記憶する。
【００４２】
販促特典データメモリ２３４には、販促特典データベース１９の有効フラグ“１”から取得した天気情報と販促特典等の販促特典データレコードを一時的に記憶する。
【００４３】
レシート印字データメモリ２３５には、登録商品データメモリ２３１、取引決済データメモリ２３２、顧客データ登録メモリ２３３および販促特典データメモリ２３４に記憶されている各種データのレシート印字データを一時的に記憶する。
【００４４】
補助記憶部２４は、たとえば、ハードディスクドライブやＳＳＤ（Solid State Drive）などで構成されている。
【００４５】
この補助記憶部２４には、各種コンピュータプログラムをインストールしている。これらのコンピュータプログラムは、ＰＯＳ端末１２の起動時、その全部または一部がＲＡＭ２３にコピーされる。ＣＰＵ２１は、ＲＡＭ２３にコピーされたコンピュータプログラムに従った処理を実行する。
【００４６】
また、補助記憶部２４に記憶されるデータには、ストアサーバ１３に格納されている商品データベース１７、顧客データベース１８および販促特典データベース１９のコピーを記憶するようにしてもよい。
【００４７】
時計部２５は、現在の年月日、時刻を計時するようになっている。
【００４８】
通信インタフェース（Ｉ/F）２６は、通信回線１４を介してストアサーバ１３とでデータ通信を制御する。
【００４９】
モードスイッチ３６は、「登録」、「点検」、「精算」および「設定」などの各種業務モードを選択し、その実行をＣＰＵ２１に出力させるためのハードスイッチである。特定の鍵によって回転可能な鍵穴の向きを検出し、その検出の停止位置に応じたモード信号を入出力ポート（Ｉ／Ｏ）２７を介してＣＰＵ２１に出力する。ＣＰＵ２１は、モードスイッチ３６からの信号に基づいて商品登録モードやメンテナンスモードなど実行するアプリケーションを切替えるようになっている。
【００５０】
また、ＣＰＵ２１からドロワ開放が指示されたことに応じてドロワ開放部３７を駆動するための駆動信号をドロワ開放部３７に対して出力する。
【００５１】
ドロワ開放部３７は、入出力ポート２７からの指令に応じて図示しないドロワを開放する。このドロワの開放は、主に商品販売データ処理において商品の登録が完了した際に、キャッシャが所定の操作で締めを宣言したことに応じて行われる。
【００５２】
キーボードコントローラ２８は、キーボード３８が操作されたキーに応じて出力する信号を取り込んでＣＰＵ２１に出力する。
【００５３】
キーボード３８は、サインオンを行うための責任者キーの他、「００」および「０」〜「９」のテンキー、部門キー、取消キー、ＰＬＵ（Price Look Up）キー、クリアキー、小計キー、現計キー、信計キー、割引キー等の商取引に係わるデータ等を入力するための各種ファンクションキーを配設したものである。
【００５４】
そして、キーボードコントローラ２８とキーボード３８は、商品コード入力手段として構成する。
【００５５】
スキャナ３９は、商品等に付けられたコードシンボルであるバーコード等をスキャニングした際に発生する電気信号を２値化し、この２値化した電気信号をバーコードデータにデコードする。
【００５６】
スキャナコントローラ２９は、スキャナ３９がバーコードデータにデコードした商品コードを取り込んでＣＰＵ２１に出力する。
【００５７】
各商品には、その商品固有の商品識別データである商品コードを示すバーコードが付けられている。ここで、スキャナコントローラ２９とスキャナ３９は、商品コード入力手段として構成する。
【００５８】
なお、商品コードは、ＰＬＵコードとしてキーボード３８のＰＬＵキーとテンキーにより入力することも可能である。
【００５９】
表示コントローラ３０は、ＣＰＵ２１からの指令に応じて前面表示器４０の画面表示を駆動制御するもので、前面表示器４０は、オペレータであるキャッシャに対して販売商品の商品名、単価、小計額、合計金額釣銭額および販促特典ポイントなどの確認用に使用する表示器として機能する。
【００６０】
表示コントローラ３１は、ＣＰＵ２１からの指令に応じて客面表示器４１の画面表示を駆動制御するもので、客面表示器４１は、商品を購入した顧客に対して購入商品の商品名、単価、小計額、合計金額、預かり金、釣銭額および販促特典ポイントなどの確認用に使用する表示器として機能する。
【００６１】
プリンタコントローラ３１は、ＣＰＵ２１から供給された印字データをもとにプリンタ４１の駆動を制御する。
【００６２】
プリンタ４１は、レシート用紙に１取引の取引明細データを印字してレシート１１０を発行するものである。
【００６３】
ここで、プリンタコントローラ３１とプリンタ４１とによってレシート印字発行手段を構成する。
【００６４】
リーダ・ライタコントローラ３２は、ＣＰＵ２１の制御のもとにリーダ・ライタ４２の動作を制御する。
【００６５】
リーダ・ライタ４２は、たとえば、顧客カード１００に記録された顧客コードやポイントデータを読取る。リーダ・ライタ４２は、顧客カード１００にポイントデータを書き込む処理を行う。
【００６６】
次に、ＰＯＳ端末１２による商品販売データ処理について説明する。
【００６７】
図６は、ＣＰＵ２１が実行する１商品販売取引の商品販売データ処理のステップを示すフローチャートである。この処理は、モードスイッチ３６の登録業務が選択されると、ＲＯＭ２２に記憶された動作プログラムに基づいて実行される。
【００６８】
先ず、ＣＰＵ２１は、商品登録が行われるのを待機する（ステップＳＴ１１）。ここで、キーボード３８またはスキャナ３９の商品コード入力手段を介して商品コードが入力されると（ステップＳＴ１１のＹＥＳ）、ＣＰＵ２１は、商品登録有と判定し登録商品処理を実行する（ステップＳＴ１２）。
【００６９】
この登録商品処理は、ＣＰＵ２１が入力された商品コードで商品データベース１７にアクセスし、商品データベース１７にプリセットされている当該商品コードに対応した商品名、単価等の商品データを取得する。
【００７０】
そして、ＣＰＵ２１は、単価に販売点数を乗じた販売金額を算出したならば、商品コードに対応した商品名、単価、販売点数及び販売金額等の各項目からなる登録商品明細データレコードを作成し、この登録商品明細データレコードをＲＡＭ２３に形成された登録商品明細データメモリ２３１およびレシート印字データメモリ２３５にセットする。
【００７１】
さらに、商品名、単価、販売点数および販売金額等を前面表示器４０および客面表示器４１に表示させる。
【００７２】
なお、前記商品データベース１７は、補助記憶部２４に記憶するか、ストアサーバ１３に記憶しておいて通信回線１４を介してストアサーバ１３にアクセスし、商品コードに対応した商品データを取得するようにしてもよい。
【００７３】
ここに、登録商品明細データメモリ２３１は、１取引として販売した登録商品のデータを記憶する登録商品データ記憶手段を構成する。
【００７４】
ＣＰＵ２１は、キーボード３８の締めキーが操作入力されるか否かを判定する（ステップＳＴ１３）ここで、締めキーの入力でなく（ステップＳＴ１３のＮＯ）、次の商品登録が行われた場合には、前記ステップＳＴ１１およびＳＴ１２の処理を繰り返す。
【００７５】
ＣＰＵ２１は、締めキーの入力を検知した場合には（ステップＳＴ１３のＹＥＳ）、１取引で販売する商品の登録締めが宣言されたのでステップＳＴ１４の取引決済処理に進む。
【００７６】
ステップＳＴ１４では、取引決済処理を実行する。この取引決済処理において、ＣＰＵ２１は、先ず、登録商品明細データメモリ２３１に記憶された全ての登録商品明細データレコードの販売金額から小計金額を算出するとともに税額を算出し、この小計金額と税額とから合計金額を算出して前面表示器４０および客面表示器４１へ表示させる。
【００７７】
次に、キーボード３８から預かり金額データが入力されて現金による決済が指示されたならば、預かり金額から合計金額を減算して釣銭額を求め、前面表示器４０および客面表示器４１へ表示させる。
【００７８】
この取引決済処理を終了すると、ＣＰＵ２１は、小計金額、税額、合計金額、預かり金額、釣銭額等の取引決済データレコードを作成し、取引決済データメモリ２３２および前記レシート印字データメモリ２３５にセットする。
【００７９】
その後、今回取引がポイント会員である顧客との取引か否かを判定する（ステップＳＴ１５）。
【００８０】
ここで、リーダ・ライタコントローラ３３を介してリーダ・ライタ４３による顧客カード１００に記録されているカードデータから顧客コードが読み取られＣＰＵ２１に入力されると（ステップＳＴ１５のＹＥＳ）、その顧客コードで識別されるポイント会員の顧客との取引なので、入力された顧客コードで顧客データベース１８にアクセスする。
【００８１】
なお、前記顧客データベース１８は、補助記憶部２４に記憶するか、ストアサーバ１３に記憶しておいて通信回線１４を介してストアサーバ１３にアクセスし、顧客コードに対応した顧客データを取得するようにしてもよい。
【００８２】
そこで、顧客データベース１８にセットされている当該顧客コードに対応する顧客氏名、累計ポイント等の顧客データを取得する。この顧客データに基づいて顧客氏名、累計ポイント等からなる顧客データ登録レコードを作成する。ＣＰＵ２１は、顧客データ登録レコードをＲＡＭ２３に形成された顧客データ登録メモリ２３３およびレシート印字データメモリ２３５にセーブする（ステップＳＴ１６）。
【００８３】
次に、ＣＰＵ２１は、顧客データ処理において、顧客がポイント会員のであると確認すると、販促特典データベース１９に販促特典が設定されているか否かを判定する（ステップＳＴ１７）。
【００８４】
そこで、ＣＰＵ２１は、販促特典データベース１９にアクセスする。そして、販促特典データベース１９のフラグ“１”がセットされている場合には（ステップＳＴ１７のＹＥＳ）、フラグ“１”に対応する天気情報および販促特典の販促特典データとして、たとえば、天気情報：降雨、販促特典：１０ポイント（図３参照）を取得する。
【００８５】
なお、前記販促特典データベース１８は、補助記憶部２４に記憶するか、ストアサーバ１３に記憶しておいて通信回線１４を介してストアサーバ１３にアクセスし、天気コードに対応した天気情報および販促特典の販促特典データを取得するようにしてもよい。
【００８６】
そして、ＣＰＵ２１は、販促特典データ（天気情報：降雨および販促特典：１０ポイント）を顧客データ登録メモリ２３３にセーブする。また、販促特典ポイントをレシート印字メモリにセットする（ステップＳＴ１８）。
【００８７】
ＣＰＵ２１は、当該販促特典データとして、「雨の日、ご来店の販促特典、１０ポイント」を前面表示器４０および客面表示器４１へ表示させる（ステップＳＴ１９）。
【００８８】
このような、販促特典処理を実行した後、ＣＰＵ２１は、今回ポイント処理を実行する（ステップＳＴ２０）。
【００８９】
このポイント処理において、ＣＰＵ２１は、１取引で販売された登録商品の合計金額に基づいて今回ポイントを従来周知の手順で算出する。たとえば、合計金額を予め設定されたポイント基準額で除算し、その商の小数点以下を切り捨てて今回ポイントを算出する。そして、今回ポイントを顧客データ登録メモリ２３３にセーブする。
【００９０】
次に、ＣＰＵ２１は、今回ポイントを算出したならば、当該顧客の顧客データ登録メモリ２３３中の累計ポイントを前日まで累計ポイントとしてセーブするとともに、今回ポイントおよび前日までの累計ポイントと販促特典処理で取得した販促特典ポイント、今回ポイントおよび前日までの累計ポイントを合算して累計ポイントを算出して顧客データ登録メモリ２３３にセーブするとともに前記レシート印字データメモリ２３５にセーブする（ステップＳＴ２１）。
【００９１】
前記のように累計ポイント処理を実行した後、ＣＰＵ２１は、プリンタコントロール３２にプリンタ４２を駆動させ、レシート印字データメモリ２３５に記憶されているレシート印字データをレシート用紙に印字しレシート１１０を発行させる（ステップＳＴ２２）。このレシート１１０には、ステップＳＴ１８にて販促特典付与処理が実行されたならば、その販促特典、たとえば、雨の日ポイント１０Ｐがレシート１００に印字される。
【００９２】
さらに、ＲＡＭ２３に形成された各メモリ２３１、２３２、２３３および２３４の各レコードに記憶されたデータ等をストアサーバ１３に転送して（ステップＳＴ２３）、当該顧客との商取引に関する商品販売データ処理を終了する。
【００９３】
なお、ストアサーバ１３においては、ＰＯＳ端末１２から転送されてきたデータから顧客コードと今回ポイントと販促特典ポイントとを取得し顧客データベース１８の当該顧客コードに対応する累計ポイントに今回ポイントおよび販促特典ポイントを加算する処理を実行するものとなっている。
【００９４】
本実施形態によれば、天気情報による販促特典処理において、オペレータの負担になることなく、顧客に販促特典を付与することが可能となる。
【００９５】
また、客面表示器４１およびレシート１００に、「本日、降雨時間帯にお買物をして頂きましたのでサービスポイント１０点を加算しました」が自動的に表示、印字される。ことより顧客にサービス性を強くアピールすることができるので、販売促進の効果が期待できる。
【００９６】
本実施形態において販促特典をサービスポイントで付与しているが、これに限定されることなく、値引きなど他の方法により実現するようにしてもよい。
【００９７】
また、天候情報として、降雨、降雪などについて記述したが、他の天気情報に基づいて販促特典を付与してもよい。
【００９８】
前記実施形態では、装置内部のプログラム記憶部であるＲＯＭ２２に発明の機能を実現させる制御プログラムが予め記録されているものとした。しかしこれに限らず、同様なプログラムがネットワークから装置にダウンロードされてもよい。
【００９９】
また、記録媒体に記録された同様のプログラムが装置にインストールされてもよい。
【０１００】
なお、この発明は前記実施形態に限定されるものではなく、実施の段階ではその要旨を逸脱しない範囲で構成要素を変形して具体化できる。
【０１０１】
前記実施形態では、ＰＯＳ端末１２とオンラインで接続されたストアサーバ１３が商品データベース１７、顧客データベース１８および販促特典データベース１９を記憶管理したが、ＰＯＳ端末１２自体が補助記憶部２４を搭載し、この補助記憶部２４に商品データベース１７、顧客データベース１８および販促特典データベース１９を記憶管理することによって、単体のＰＯＳ端末１２により本発明の商品販売データ装置を構成することも可能である。
【０１０２】
この他、前記実施形態に開示されている複数の構成要素を適宜な組み合わせにより種々の発明を形成できる。たとえば、実施の形態に示される全構成要素から幾つかの構成要素を削除してもよい。さらに、異なる実施形態にわたる構成要素を組み合わせてもよい。
【符号の説明】
【０１０３】
１１…ＰＯＳシステム、１２…ＰＯＳ端末、１３…ストアサーバ、１６…天気観測機器、１６ａ…降雨観測機器、１６ｂ…降雪観測機器、１７…商品データベース、１８…顧客データベース、１９…販促特典データベース、２１…ＣＰＵ、２２…ＲＯＭ、２３…ＲＡＭ、２３１…登録商品データメモリ、２３２…取引決済データメモリ、２３３…顧客データ登録メモリ、２３４…販促特典データメモリ、２３５…レシート印字データメモリ、３８…キーボード、３９…スキャナ、４０…前面表示器、４１…客面表示器、４２…プリンタ、４３…リーダ・ライタ、１００…顧客カード、１１０…レシート。
【図１】
2015084187.tif 000003
【図２】
2015084187.tif 000004
【図３】
2015084187.tif 000005
【図４】
2015084187.tif 000006
【図５】
2015084187.tif 000007
【図６】
2015084187.tif 000008
【図７】
2015084187.tif 000009